(57)【要約】【課題】不用意な抜けを防止しつつ、ぐらつきを抑えた状態で育苗ポットに取り付けることができる表示板保持具を提供すること。【解決手段】表示板保持具１は、支持板２の先端側の両縁部に凹設された、育苗ポット１００に穿設された挿入孔１０３と係合する凹部５と、その凹部５と所定間隔を空けて支持板２の一面側に配設され、挿入孔１０３に支持板２が挿入された状態で、育苗ポット１００の上縁を挟持する挟持板７とを備えているので、表示板保持具１を育苗ポット１００に取り付けると、挿入孔１０３と凹部５とが係合するだけでなく、育苗ポット１００の上縁を、挟持板７と支持板２との間に挟持して育苗ポット１００に固定される。【選択図】図２
2011217709.tif 000002
【特許請求の範囲】
【請求項１】
花や苗に関する情報を表示した表示板が取り付けられる表示板取付部と、
その表示板取付部から一方向に延出する支持板と、
その支持板の一方向先端側に形成され、その支持板の両側縁の互いに対向する位置に凹設され、前記育苗ポットに穿設された挿入孔に前記支持板を挿入した場合にその挿入孔と係合する凹部と、
その凹部と前記表示板取付部との間で前記凹部と所定間隔を空けた前記支持板の一面側に配設され、前記育苗ポットの挿入孔に前記支持板が挿入された状態で、前記育苗ポットの上縁を挟持する挟持部とを備えていることを特徴とする表示板保持具。
【請求項２】
前記挟持部は、前記支持板から前記凹部側へ向けて延出し、その先端が反支持板側へ屈曲した挟持片を有し、
その挟持片と前記支持板の一面側とで前記育苗ポットの上縁を挟持するものであることを特徴とする請求項１記載の表示板保持具。
【請求項３】
前記支持板は、
前記凹部から前記一方向に延出する脚部を有し、
その脚部には、前記凹部側へ向けて延出し、前記育苗ポットの挿入孔に前記支持板を挿入した状態で、その先端が前記育苗ポットの挿入孔より外方へ突出する突出爪を有していることを特徴とする請求項１又は２の表示板保持具。
【請求項４】
前記表示板取付部は、前記支持板から立設し、前記表示板の一方の面に対向する第１保持部と、
その第１保持部との間に所定間隔を空けて前記支持板から立設し、前記表示板の他方の面に対向し、前記第１保持部よりも前記支持板からの高さが低く形成された第２保持部とを備えていることを特徴とする請求項１から３のいずれかに記載の表示板保持具。
【請求項５】
前記支持板は、
前記凹部と前記挟持部とが配設される第１支持板と、
その第１支持板より延設され、前記表示板取付部が配設される第２支持板とを備え、
前記育苗ポットの挿入孔に前記第１支持板を挿入した状態で、前記第２支持板がほぼ直立するように、前記第２支持板は前記第１支持板に対して屈曲形成されていることを特徴とする請求項１から４のいずれかに記載の表示板保持具。
【発明の詳細な説明】
【技術分野】
【０００１】
本発明は、表示板保持具に関し、特に、不用意な抜けを防止しつつ、ぐらつきを抑えた状態で育苗ポットに取り付けることができる表示板保持具に関するものである。
【背景技術】
【０００２】
従来から、花や苗Ｎの名称や栽培方法、成長後の写真など、花や苗Ｎに関する情報を表示した表示板を、育苗ポットに取り付ける表示板保持具がある。図６に示すラベル保持具３０（特許文献１）は、その表示板保持具の一例である。ここで図６（ａ）は、ラベル保持具３０と育苗ポット１００（特許文献２）との構成を示す斜視図であり、図６（ｂ）は、ラベル保持具３０の使用状態を示す斜視図である。図６（ａ）に示すように、ラベル保持具３０は、ラベルを保持するかぎ爪３４と、かぎ爪３４が配設される支持板３１と、支持板３１の下端に先細りに形成された脚部３２とから構成されている。脚部３２の両側縁には互いに対向する位置に切欠け３３が形成されている。
【０００３】
育苗ポット１００の側壁１０２には、その略中央部から底壁１０１に向かって帯状に伸びた窪み１０４が形成されている。この窪み１０４は、育苗ポット１００の収納空間側へ突出形成されており、窪み１０４の上端には、矩形状の挿入孔１０３が穿設されている。
【０００４】
ラベル保持具３０の挿入は、図６（ａ）の矢印で示すように、脚部３２を育苗ポット１００の内側から挿入孔１０３に差し込んで行われる。切欠け３３より先端側の脚部３２を挿入孔１０３の下方へ露出するように挿入すると、切欠け３３と挿入孔１０３とが係合して、ラベル保持具３０が育苗ポット１００に取り付けられる。図６（ｂ）に示すように、育苗ポット１００に取り付けられたラベル保持具３０のかぎ爪３４に、表示板３００に穿設されたパンチ穴３０１を通して係合させることで、表示板３００を育苗ポット１００に取り付けることができる。
【先行技術文献】
【特許文献】
【０００５】
【特許文献１】意匠登録第１３０６５６３号公報
【特許文献２】特許第３８６０１７６号公報
【発明の概要】
【発明が解決しようとする課題】
【０００６】
しかしながら、ラベル保持具３０は、切欠け３３のみで育苗ポット１００と係合するので、固定が十分でなく、不用意に育苗ポット１００から抜け易く、また育苗ポット１００への取り付けがぐらつくという問題点があった。特に、育苗ポット１００がポリエチレンやポリプロピレン等の軟質合成樹脂で形成されたものであると、育苗ポット１００の各箇所は容易に撓むので、ラベル保持具３０は一層抜け易く、ぐらつきも顕著になるという問題点があった。
【０００７】
本発明は、上述した問題点を解決するためのものであり、不用意な抜けを防止しつつ、ぐらつきを抑えた状態で育苗ポットに取り付けることができる表示板保持具を提供することを目的としている。
【課題を解決するための手段および発明の効果】
【０００８】
請求項１記載の表示板保持具によれば、表示板取付部から一方向に延出する支持板を、育苗ポットに穿設された挿入孔に挿入すると、支持板の両縁部の互いに対向する位置に凹設された凹部と育苗ポットの挿入孔とが係合する。表示板保持具の挟持板は、凹部と表示板取付部との間で凹部と所定間隔を空けた支持板の一面側に配設されている。よって、育苗ポットの挿入孔に支持板が挿入されると、育苗ポットの上縁は、挟持板によって挟持される。このように表示板保持具は、育苗ポットの挿入孔に支持板の凹部が係合し且つ育苗ポットの上縁を挟持板によって挟持した状態で育苗ポットに取り付けられるので、ぐらつきを抑えた状態で育苗ポットに取り付けることができるという効果がある。
【０００９】
請求項２記載の表示板保持具によれば、請求項１の奏する効果に加え、挟持板は、支持板から凹部側へ向けて延出した挟持片を有している。育苗ポットの挿入孔に支持板が挿入されると、育苗ポットの上縁は、この挟持片によって挟持されるが、挟持片の先端は反支持板側へ屈曲しているので、挟持片の先端と支持板との開口は大きく形成される。よって、育苗ポットの上縁を挟持片によって容易に挟持できるので、表示板保持具を育苗ポットへ容易に取り付けることができるという効果がある。
【００１０】
請求項３記載の表示板保持具によれば、請求項１又は２の奏する効果に加え、支持板は、凹部から一方向に延出する脚部を有し、その脚部には、凹部側へ向けて延出し、育苗ポットの挿入孔に支持板を挿入した状態で、その先端が育苗ポットの挿入孔より外方へ突出する突出爪を有している。よって、育苗ポットに取り付けられた表示板保持具に不用意な力がかかって引っ張られたとしても、突出爪が挿入孔に引っかかるので、表示板保持具は育苗ポットから不用意には抜けない。従って、表示板保持具の不用意な抜けを防止できるという効果がある。なお、表示板保持具は、突出爪を押さえた状態で支持板を引っ張れば、育苗ポットから容易に引き抜くことができる。
【００１１】
請求項４記載の表示板保持具によれば、請求項１から３のいずれかの奏する効果に加え、表示板取付部は、支持板から立設し、表示板の一方の面に対向する第１保持部と、その第１保持部との間に所定間隔を空けて支持板から立設し、表示板の他方の面に対向する第２保持部とを有している。
【００１２】
よって、穿設孔が穿設された表示板にあっては、その穿設孔に第１保持部の先端を挿入することで、第１保持部と第２保持部との間に表示板を保持することができる。しかも、第２保持部は、第１保持部よりも支持板からの高さが低く形成されている。即ち、第１保持部は第２保持部より高く形成されているので、表示板の挿入時に、表示板を第２保持部の先端に干渉させることなく、表示板の穿設孔に、第１保持部の先端を容易に挿入することができる。
【００１３】
また、穿設孔の無い表示板であっても、表示板自体を第１保持部と第２保持部との間に挿入して、その間に表示板を保持することができる。しかも、第１保持部は第２保持部より高く形成されているので、高く形成された第１保持部に沿って表示板を挿入することで、表示板を容易に挿入することができる。このようにいずれのタイプの表示板であっても、表示板保持具への表示板の取付作業を容易に行うことができるという効果がある。
【００１４】
請求項５記載の表示板保持具によれば、請求項１から４のいずれかの奏する効果に加え、支持板は、凹部と挟持板とが配設される第１支持板と、その第１支持板より延設され、表示板取付部が配設される第２支持板とを有している。この第２支持板は、育苗ポットの挿入孔に第１支持板を挿入した状態で、ほぼ直立するように、第１支持板に対して屈曲形成されている。よって、第２支持板の表示板取付部に保持される表示板を見易く配置できるという効果がある。また、第２支持板の長さを調整することで、即ち第２支持板の長さが短いものから長いものまで複数種類揃えることで、表示板の高さを、育苗ポットに植えられた苗や花の高さに合わせて、適切な位置に配置できるという効果がある。
【図面の簡単な説明】
【００１５】
【図１】（ａ）は、本発明の第１実施の形態における表示板保持具の正面図であり、（ｂ）は、（ａ）をＩｂ方向から見た側面図である。
【図２】（ａ）は、第１実施の形態の表示板保持具が育苗ポットに取り付けられた状態を示す正面図であり、（ｂ）は、（ａ）をＩＩｂ方向から見た側面図である。
【図３】（ａ）は、第１実施の形態の表示板保持具の使用状態を示す正面図であり、（ｂ）は、（ａ）をＩＩＩｂ方向から見た側面図である。
【図４】（ａ）は、第２実施の形態の表示板保持具の使用状態を示す背面図であり、（ｂ）は、（ａ）をＩＶｂ方向から見た側面図である。
【図５】（ａ）は、第３実施の形態の表示板保持具の使用状態を示す背面図であり、（ｂ）は、（ａ）をＶｂ方向から見た側面図である。
【図６】（ａ）は、従来技術におけるラベル保持具と育苗ポットとの構成を示す斜視図であり、（ｂ）は、ラベル保持具の使用状態を示す斜視図である。
【発明を実施するための形態】
【００１６】
以下、本発明の好ましい実施の形態について添付図面を参照して説明する。本発明の各実施の形態における表示板保持具は、不用意な抜けを防止しつつ、ぐらつきを抑えた状態で育苗ポット１００に取り付けられるものである。最初に図１から図３を参照して本発明の第１実施の形態における表示板保持具１について説明する。
【００１７】
図１（ａ）は、表示板保持具１の正面図であり、図１（ｂ）は、図１（ａ）をＩｂ方向から見た側面図である。表示板保持具１は、図６で示した育苗ポット１００に表示板２００（図３参照）を取り付けるための留め具であり、合成樹脂で形成されている。
【００１８】
表示板保持具１は、上下（図１（ａ）紙面上下）に延出した支持板２と、その支持板２の下端側に形成され、その支持板２の両側縁の互いに対向する位置に突設される突起４と、その突起４より下方に形成される支持板２の先尖部である脚部３と、脚部３の下端側に形成され、支持板２の表面側上方（図１（ａ）紙面手前側上方）に向かって突出した突出爪６と、支持板２から上方に立設される表示板取付部８と、その表示板取付部８の下端から下方に垂設され、支持板２の表面（図１（ａ）紙面手前の面）と対向する挟持板７とを備えている。
【００１９】
支持板２は、育苗ポット１００に穿設された挿入孔１０３に、一部が挿入される部材であって、板状の部材である板部２ａと、板部２ａの両側縁に配置される一対のフランジ２ｂとを有している。
【００２０】
板部２ａは、挿入孔１０３に挿入される部分であって、ぐらつきを抑えた状態で育苗ポット１００に取り付けるために、板部２ａと挿入孔１０３との間に隙間を作らないように形成される。そのため板部２ａの幅は、挿入孔１０３の開口長さ（挿入孔１０３の長手方向の長さ）より若干短く形成され、板厚は挿入孔１０３の開口幅（挿入孔１０３の長手方向と直交方向の長さ）より若干薄く設定されている。
【００２１】
フランジ２ｂは、その下端で挿入孔１０３の縁と当接して、表示板保持具１の下方への動きを制限するストッパーである。板部２ａを挿入孔１０３に挿入可能にするため、フランジ２ｂは板部２ａの下端側には形成されない。また、フランジ２ｂの下端と、フランジ２ｂの上端付近に配置される挟持板７とが、それぞれ育苗ポット１００の挿入孔１０３と、上縁とに対応して配置されるので、支持板２のうちフランジ２ｂが設けられた箇所の高さは、育苗ポット１００の挿入孔１０３から上縁までの高さより若干高く形成される。
【００２２】
また、フランジ２ｂは、板部２ｂを補強するための部材を兼ねている。これによって、板部２ａが薄く形成されても、支持板２の剛性を十分に確保することができる。従って、表示板保持具１を育苗ポット１００へ取り付ける際に、支持板２が折曲破損することを防止することができる。
【００２３】
突起４は、育苗ポット１００の外側から挿入孔１０３の縁と干渉し、表示板保持具１の上方への動きを制限するストッパーであって、図１（ａ）に示すように、フランジ２ｂの下方で板部２ａの両側縁に形成された、正面視略半円状の部材である。一方の突起４の先端から他方の突起４の先端までの間隔は、挿入孔１０３と干渉させるため、挿入孔１０３の開口長さよりも若干長くなるように突設される。そして、突起４と、その突起４と対向するフランジ２ｂとによって囲まれる領域に、凹部５が形成される。凹部５は、表示板保持具１を育苗ポット１００に取り付ける際に、挿入孔１０３と係合する箇所である。
【００２４】
脚部３は、支持板２を挿入孔１０３に簡単に挿入させるための部材であって、図１（ａ）に示すように、突起４より下方に形成され、先端に向かって先細る、支持板２の先端部分である。また、図１（ｂ）に示すように、脚部３の先端部分は板厚が徐々に薄くなるように形成されている。このため、支持板２が挿入孔１０３に挿入される場合に、支持板２の先端部分である脚部３が挿入孔１０３に干渉しないので、支持板２を挿入孔１０３に簡単に挿入することができる。
【００２５】
突出爪６は、表示板保持具１が育苗ポット１００から不用意に抜けてしまうことを防止するためのストッパーであって、脚部３から支持板２の表面側上方に向かって突出し、先端が凹部より若干下方に位置するように形成される板状の部材である。脚部３と連結される突出爪６の付け根部分は可撓性を有しており、突出爪６を支持板２側に押さえつけることで、支持板２の表面からの突出が圧縮され、脚部３を挿入孔１０３へ挿入できる。挿入された脚部３が挿入孔１０３の外へでると、挿入孔１０３による突出爪６への押さえが外れ、突出爪６は元の形状に復帰する。よって、支持板２が挿入孔１０３に挿入された状態では、突出爪６の先端は、挿入孔１０３の外方へ突出することとなって（図２（ｂ）参照）、表示板保持具１の不用意な抜けを防止できる。
【００２６】
表示板取付部８は、苗Ｎに関連する情報が表示される表示板２００を取り付けるための部材であって、支持板２の表面側（図１（ａ）紙面手前側）へ張り出して支持板２から上方に立設されたステージ８ｃと、ステージ８ｃの上面から上方に立設される中央壁８ｂと、側面（図１（ｂ）紙面手前）から見て、中央壁８ｂとの間に若干の間隔を空けてステージ８ｃの表面（図１（ａ）紙面手前）から立設し、中央壁８ｂと対向する一対の側壁８ａとを有している。中央壁８ｂと一対の側壁８ａとは、ステージ８ｃの幅方向（図１（ａ）紙面左右方向）で重ならないように配置されている。
【００２７】
中央壁８ｂは、表示板２００の一面と当接し、側壁８ａと共に表示板２００を挟持するための部材であって、ステージ８ｃの上面中央部から支持板２の裏面側（図１（ｂ）紙面右側）に屈曲し、ステージ８ｃからの高さが側壁８ａよりも低くなるように形成されている。
【００２８】
側壁８ａは、表示板２００の他面と当接し、中央壁８ｂと共に表示板２００を挟持するとともに、表示板２００に穿設された一対の穿設穴２０１（図３（ａ）参照）を貫通し係合するための部材である。側壁８ａは、ステージ８ｃの表面上端から突設される突設部分と、その突設部分から屈曲形成され中央壁８ｂとほぼ並行に対向する側壁８ａの本体部分と、中央壁８ｂの中程にあたる高さから、その本体部分から中央壁８ｂと離間する側に屈曲する先端部分とを有し、ステージ８ｃからの高さが中央壁８ｂよりも高くなるように形成されている。また、側壁８ａは、表示板２００の穿設孔２０１に貫通させて表示板２００を保持するために、側壁８ａ全体が穿設孔２０１の径より細く形成されており、先端部分を貫通させる際に穿設穴２０１と干渉しないように、先端部分は尖っている。
【００２９】
ステージ８ｃは、中央壁８ｂと側壁８ａと、後述する挟持板７とを支持板２と連結させるための部材であって、支持板２から一定の高さに形成されている。
【００３０】
挟持板７は、育苗ポット１００の上縁をフランジ２ｂとの間で挟持して、表示板保持具１を育苗ポット１００に取り付けるための部材であって、ステージ８ｃの張り出した下面中央部から、側面（図１（ｂ）紙面手前）から見て、フランジ２ｂとの間に若干の間隔を空けて垂設され、フランジ２ｂとほぼ平行に対向する挟持板本体７ａと、挟持板本体７ａの下端で支持板２と離間する側（図１（ｂ）左側）に屈曲される曲げ部７ｂとを有している。また、挟持板７は、支持板２の幅方向（図１（ａ）左右方向）で一対のフランジ２ｂと重ならないように配置されている。
【００３１】
板部２ａ及びステージ８ｃは、肉抜きが施されている。これにより、表示板保持具１の原料コストを抑えることができるうえ、表示板保持具１を軽量化して、表示板保持具１が取り付けられた育苗ポット１００の倒れやすさを軽減できる。
【００３２】
次に、図２を参照して、育苗ポット１００への表示板保持具１の取り付けについて説明する。図２（ａ）は、表示板保持具１が育苗ポット１００に取り付けられた状態を示す正面図であり、図２（ｂ）は、図２（ａ）をＩＩｂ方向から見た側面図である。尚、図２（ａ）、（ｂ）では、発明の理解を容易にするため、育苗ポット１００を想像線で表している。
【００３３】
支持板２は、突出爪６と突起４とのそれぞれの箇所で、挿入孔１０３と干渉しながら挿入される。突出爪６は、挿入孔１０３を開口幅方向に押し広げる一方で、挿入孔１０３からの反発力を受けるので、支持板２表面からの突出が圧縮されつつ挿入孔１０３に挿入される。突出爪６が挿入孔１０３の外へでると、突出爪６と挿入孔１０３との干渉が無くなるので、突出爪６と挿入孔１０３とは元の形状に復帰する。また、突起４は、挿入孔１０３を開口長さ方向に押し広げる一方で、挿入孔１０３からの反発力を受けて、板部２ａを幅方向（図２（ａ）紙面左右方向）に圧縮させる。突起４が挿入孔１０３の外へでると、板部２ａと挿入孔１０３とは元の形状に復帰する。支持板２が、育苗ポット１００に取り付けられた状態では、フランジ２ｂの下端と挿入孔１０３の縁とが当接され、支持板２の凹部５と挿入孔１０３とが係合される。また、支持板２のうち凹部５より下方側の部分は、育苗ポット１００に形成された窪み１０４の外壁側へと露出する。
【００３４】
凹部５と挿入孔１０３とが係合すると、表示板保持具１の水平面方向、上下方向の動きが制限される。ここで、消費者のいたずらや不注意によって、支持板２が不用意に上方に引っ張られた場合には、突起４は、上下方向に略対称な形状をしているので、挿入時と同じ要領で挿入孔１０３から内に入ってしまう。その場合であっても、突起４の下方に設けられた突出爪６が、挿入口１０３の外方へ突出しているので、突出爪６が挿入孔１０３の縁に引っかかり、表示板保持具１の不用意な抜けを防止できる（図２（ｂ）参照）。
【００３５】
一方、突出爪６は窪み１０４の外壁側に露出しているので、使用者は、突出爪６を支持板２側に押さえつけて突出を圧縮させると、突出爪６と挿入孔１０３とを干渉させることなく、表示板保持具１を引き抜くことができる。よって、苗Ｎの成長に伴って、表示板保持具１を別の育苗ポット１００に付け替えたり、表示板保持具１を後述する表示板保持具１１と交換したりできる。
【００３６】
脚部３が挿入孔１０３に挿入されると、支持板２の上端付近では、挟持板本体７ａとフランジ２ｂとの間に育苗ポット１００の上縁が挟持される。ここで、挟持板本体７ａの下端から形成される曲げ部７ｂが、支持板２と離間する側（図２（ｂ）左側）に屈曲し、曲げ部７ｂの先端とフランジ２ｂとの開口が大きく形成されるので、育苗ポット１００の上縁を挟持板本体７ａとフランジ２ｂとの間に容易に挿入することができる。このように、表示板保持具１は、挿入孔１０３と凹部５とが係合するだけでなく、育苗ポット１００の上縁を、挟持板本体７ａとフランジ２ｂとの間に挟持して育苗ポット１００に固定されるので、表示板保持具１をぐらつきを抑えた状態で育苗ポット１００に取り付けることができる。
【００３７】
次に、図３を参照して、表示板保持具１への表示板２００の取り付けについて説明する。図３（ａ）は、表示板保持具１の使用状態を示す正面図であり、図３（ｂ）は、図３（ａ）をＩＩＩｂ方向から見た側面図である。ここで、表示板２００には苗Ｎに関連する情報が記されており、一対の側壁８ａの間隔と同じ間隔で、上部に２つの穿設孔２０１が穿設されている。
【００３８】
表示板保持具１への表示板２００の取り付けは、側壁８ａを、表示板２００の裏面側から穿設孔２０１へ挿入することにより行う。側壁８ａは、中央壁８ｂよりもステージ８ｃからの高さが高く形成されているので、表示板２００と中央壁８ｂとが干渉することなく、容易に側壁８ａの先端部分を穿設孔２０１に挿入することができる。
【００３９】
側壁８ａに挿入された表示板２００は、図３（ｂ）に示すように、中央壁８ｂと一対の側壁８ａとによって挟持された状態になる。よって、表示板２００を表示板取付部８に固定することができる。
【００４０】
以上では、一対の穿設孔２０１が上部に設けられた表示板２００を取り付ける場合について説明したが、表示板取付部８は、一対の穿設孔を下部に有する表示板であっても、表示板２００と同様にして取り付けることができる。また、穿設孔がない表示板であっても、その表示板を中央壁８ｂと側壁８ａとの間に挿入することで取り付けることができる。
【００４１】
次に、図４を参照して、本発明の第２実施の形態における表示板保持具１０について説明する。図４（ａ）は、表示板保持具１０の使用状態を示す背面図であり、図４（ｂ）は、図４（ａ）をＩＶｂ方向から見た側面図である。なお、第１実施の形態の説明と重複するものについては説明を省略する。
【００４２】
表示板保持具１０は、表示板保持具１の支持板２から上方の部分に代えて、支持板２から上方に延出した延長板１２と、支持板２と延長板１２との間に設けられた挟持部１７と、延長板１２から上方に立設される表示板取付部１８とを備えている。なお、挟持部１７は、支持板２の表面側（図４（ａ）紙面手前側）に張り出したステージ１７ｂと、そのステージ１７ｂから、フランジ２ｂと若干の間隔を空けて垂設される挟持板１７ａとを有するものであり、この挟持板１７ａは、第１実施の形態の挟持板７と同様に構成され、作用する。よって、図４に示す状態では、表示板保持具１０は、ぐらつきが抑えられた状態で育苗ポット１００に取り付けられている。
【００４３】
延長板１２は、表示板２１０を育苗ポット１００の上方高所で取り付けるために、表示板取付部１８を上方高所で支持するための部材であって、支持板２から上方に延出する板状の部材である板部１２ａと、板部１２ａの両側縁に配置され板部２ａを補強する一対のフランジ１２ｂとを有し、支持板２から支持板２の裏面側（図４（ｂ）紙面左側）に屈曲し、支持板２より幅狭に形成されている。
【００４４】
支持板２と延長板１２との屈曲は、側壁１０２の傾斜と対応しており、育苗ポット１００に表示板保持具１０が取り付けられた状態で、図４（ｂ）に示すように、延長板１２が育苗ポット１００の上縁付近からほぼ直立して配置されるように設定されている。
【００４５】
延長板１２によって、表示板２１０を育苗ポット１００の上方高所に取り付けることができるので、表示板２１０を消費者から見易く配置できる。しかも、延長板１２は、育苗ポット１００の上縁付近からほぼ直立しているので、複数の育苗ポット１００を収容するポット収容トレイに、表示板保持具１０を取り付けた育苗ポット１００を複数並べた場合に、一の育苗ポット１００に取り付けた表示板保持具１０が他の育苗ポット１００の表示板保持具１０や苗Ｎと干渉しない。そのため、ポット収容トレイ内に、表示板保持具１０を取り付けた育苗ポット１００を、密に配置することができる。
【００４６】
また、延長板１２が長いものから短いものまで、複数種類の表示板保持具１０を予め用意しておくことで、育苗ポット１００に植えられた苗Ｎの高さ等に応じて適切な位置に表示板２１０を取り付けることが可能となる。更に、延長板１２が支持板２から屈曲することで、表示板保持具１０の重心が、育苗ポット１００の内側寄りに偏心されているので、育苗ポット１００の倒れやすさが軽減される。
【００４７】
図４（ａ）に示すように、支持板２は延長板１２よりも幅広に形成されている。表示板保持具１０が育苗ポット１００に取り付けられると、支持板２は、側壁１０２の内面に沿って配置され、さらに育苗ポット１００に埋土が収納されると、支持板２は側壁１０２と埋土との間に挟み込まれて固定される。支持板２が埋土と接する面積に応じて、支持板２を側壁１０２と埋土との間に挟み込む力が強まるので、支持板２が幅広に形成されるほど、表示板保持具１０のぐらつきを抑えることができる。
【００４８】
表示板取付部１８は、苗Ｎに関連する情報が表示される表示板２１０を取り付けるための部材であって、延長板１２の裏面側（図４（ｂ）紙面左側）へ張り出して延長板１２から上方に立設されたステージ１８ｃと、ステージ１８ｃの張り出した裏面から上方に立設される中央壁１８ｂと、側面（図４（ｂ）紙面手前）から見て、中央壁１８ｂとの間に若干の間隔を空けてステージ１８ｃの上面から立設し、中央壁１８ｂと対向する一対の側壁１８ａとを有している。中央壁１８ｂと一対の側壁１８ａとは、ステージ１８ｃの幅方向（図４（ａ）紙面左右方向）で重ならないように配置されている。
【００４９】
ここで、中央壁１８ｂは、第１実施の形態の表示板保持具１の側壁８ａと同様に構成されて作用し、側壁１８ａは、表示板保持具１の中央壁８ｂと同様に構成されて作用するものである。よって、表示板保持具１８は、１つの穿設孔が設けられた表示板を、その穿設孔に中央壁１８ｂを挿入させて取り付けることができるうえ、図４（ａ）（ｂ）に示すように、穿設孔が設けられていない表示板２１０を、中央壁１８ｂと側壁１８ａとの間に挿入するだけで、取り付けることができる。また、中央壁１８ｂの先端部分は、側壁１８ａから離間する側に屈曲し、中央壁１８ｂの先端部分と側壁１８ａとの開口が大きく形成されているので、表示板２１０を中央壁１８ｂの本体部分と側壁１８ａとの間に容易に挿入できる。
【００５０】
なお、図４（ａ）に示すように、表示板保持具１０は、育苗ポット１００の背面側（図４（ａ）手前）に取り付けられる。ここで、中央壁１８ｂと側壁１８ａとは、ステージ１８ｃの表面側（図４（ｂ）紙面右側）に屈曲しているので、消費者が正面上方から育苗ポット１００を見たときに、苗Ｎが延長板１２と表示板２１０とによって遮られることなく、表示板２１０を見易い状態で取り付けることができる。
【００５１】
次に、図５を参照して、本発明の第３実施の形態における表示板保持具２０について説明する。図５（ａ）は、表示板保持具２０の使用状態を示す背面図であり、図５（ｂ）は、図５（ａ）をＶｂ方向から見た側面図である。なお、第１実施の形態及び第２実施の形態の説明と重複するものについては説明を省略する。
【００５２】
表示板取付部２８は、苗Ｎに関連する情報が表示される表示板２２０を取り付けるための部材であって、延長板１２の裏面側（図５（ｂ）紙面左側）へ張り出して延長板１２から上方に立設されたステージ２８ｃと、ステージ２８ｃの上面から立設される中央壁２８ｂと、側面（図５（ｂ）紙面手前）から見て、中央壁２８ｂとの間に若干の間隔を空けてステージ２８ｃの張り出した表面から上方に立設され、中央壁２８ｂと対向する一対の側壁２８ａとを有している。中央壁２８ｂと一対の側壁２８ａとは、ステージ２８ｃの幅方向（図５（ａ）紙面左右方向）で重ならないように配置されている。
【００５３】
ここで、中央壁２８ｂは、第１実施の形態の表示板保持具１の中央壁８ｂと同様に構成されて作用し、側壁２８ａは、表示板保持具１の側壁８ａと同様に構成されて作用するものであるので、表示板取付部２８は、表示板保持具１の表示板取付部８と同様に作用する。
【００５４】
表示板２２０の下部には、一対の側壁２８ａの間隔と同じ間隔で、２つの穿設孔２２１が穿設されているので、表示板２２０の裏面側から穿設孔２２１に側壁２８ａを挿入すると、図５（ｂ）に示すように、表示板２２０を中央壁２８ａと側壁２８ｂとによって挟持しつつ、表示板取付部２８から上方に掲げられた状態で取り付けることができる。
【００５５】
以上では、一対の穿設孔２２１が下部に設けられた表示板２２０を取り付ける場合について説明したが、穿設孔がない表示板であっても、その表示板を中央壁２８ｂと側壁２８ａとの間に挿入することで取り付けることができる。
【００５６】
以上、上記実施の形態に基づき本発明を説明したが、本発明は上記実施の形態に何ら限定されるものでなく、本発明の趣旨を逸脱しない範囲で種々の改良変形が可能であることは容易に推察できるものである。
【００５７】
例えば、上記実施の形態においては、表示板保持具１と、表示板保持具１０と、表示板保持具２０とを説明したが、各表示板保持具の構成の一部を相互に置き換えて実施しても良い。具体的には、表示板保持具１の側壁８ａ及び中央壁８ｂを、表示板保持具１０の側壁１８ａ及び中央壁１８ｂに置き換えてもよい。また、表示板保持具１において、側壁８ａをステージ８ｃの裏面から立設して、側壁８ａと中央壁８ｂとをステージ８ｃの表面側（図２（ｂ）左側）に傾斜させても良く、表示板保持具１０において中央壁１８ｂをステージ１８ｃの表面から立設して、側壁１８ａと中央壁１８ｂとをステージ１８ｃの裏面側（図４（ｂ）左側）に傾斜させても良く、表示板保持具２０において側壁２８ａをステージ２８ｃの表面から立設して、側壁２８ａと中央壁２８ｂとをステージ２８ｃの裏面側（図５（ｂ）左側）に傾斜させても良い。更に、これらを組み合わせても良いのは言うまでもない。
【００５８】
また、上記実施の形態では、一片の突出爪６が脚部３に設けられている場合について説明したが、突出爪は一片に限定されるものでなく、複数片の突出爪を設けるようにしても良い。
【符号の説明】
【００５９】
１，１０，２０                      表示板保持具
２，３１                            支持板（第１支持板）
３，３４                            脚部
５                                  凹部
６                                  突出爪
７，１７ａ                          挟持板（挟持片）
８，１８                            表示板取付部
８ａ，１８ａ，２８ａ                側壁（第１保持部，第２保持部）
８ｂ，１８ｂ，２８ｂ                中央壁（第２保持部，第１保持部）
１２                                延長板（第２支持板）
１００                              育苗ポット
１０３                              挿入孔
２００，２１０，２１０，３００      表示板
Ｎ                                  苗
【図１】
2011217709.tif 000003
【図２】
2011217709.tif 000004
【図３】
2011217709.tif 000005
【図４】
2011217709.tif 000006
【図５】
2011217709.tif 000007
【図６】
2011217709.tif 000008